(57)【特許請求の範囲】
【請求項１】
土とともに植物を収納して該植物を育成する植物育成容器であって、外容体と内容体とから成り、前記内容体は前記外容体内に配設され、また、前記内容体は植物の根が貫通する孔を散在せしめた第一容体と、この第一容体の外側に配設され植物の根が貫通する孔を散在せしめた第二容体とから成る二重構造に設定され、この第一容体と第二容体との間には鋸やナイフなどの切断具を挿入し得る間隔が形成されており、前記外容体の底部には内方へ突出する平面視円形状にして縦断面コ字状の突出部が形成されており、また、前記第一容体の底部にも内方へ突出する平面視円形状にして縦断面コ字状の突出部が形成されており、更に、前記第二容体の底部にも内方へ突出する平面視円形状にして縦断面コ字状の突出部が形成されており、この各突出部に形成された連結孔には連結部材が嵌挿され、外容体及び内容体並びに第一容体及び第二容体は相対回動自在に構成されていることを特徴とする植物育成容器。
【請求項２】
請求項１記載の植物育成容器において、前記連結部材はボルト杆と蝶螺子とから成るものであることを特徴とする植物育成容器。
【発明の詳細な説明】
【０００１】
【発明の属する技術分野】
本発明は、植物育成容器に関するものである。
【０００２】
【従来の技術及び発明が解決しようとする課題】
近年のガーデニングブームにも乗じ、植物を鉢やプランターなどの植物育成容器で育てながらベランダや部屋の中で飾って楽しむ人が益々増えている。
【０００３】
ところで、この植物育成容器で植物を育てる場合、該植物育成容器内で伸びる根をそのまま放っておくと、例えば容器内の水通しが悪くなり根腐れが起きて枯れてしまうなど、植物の育成に支障を来す場合がある。この問題は、植物の育成に伴い大きな植物育成容器や庭などに移し替えることで解消されるが、その反面、植物（茎や葉など）が大きくなり過ぎてしまうという問題や、植物が育つ度に（根が伸びる度に）鉢を変えたり、庭に移植しなければならないという問題が生じてしまう。
【０００４】
そこで、根切り作業（剪定作業）を行うことで元気な状態を維持したまま植物の成長（大きさ）をコントロールする植物の育成方法が提案されている。
【０００５】
これは、植物の習性、即ち、植物は根の大きさ（表面積の大きさ）に伴い茎や枝の大きさが決定されるという習性を利用した植物の育成方法であり、この根の剪定作業を定期的に行えば、前述した根腐れなどの問題が解消されるのは勿論、植物の成長を人為的にコントロールして一つの植物育成容器内で植物を長期間育てることが可能になる。
【０００６】
しかしながら、実際にこの植物の根の剪定作業を行おうとすると、先ず、植物の茎を持つなどして植物育成容器から根に土が付着した状態（絡んだ状態）のまま植物を抜き出し、続いて、根に付着した土を取り払い、根を露出させた状態にしてから最適な長さに切断し、そして、再び植物育成容器内に用土（土や肥料など）とともに植物（根）を埋める、という作業が必須となるが、この作業は専門的な知識が必要になってしまい、しかも、この作業自体が非常に面倒である（このことは、剪定作業を必要とする数が増える程、或いは、植物育成容器（植物）が大きくなる程顕著に現れる。）。
【０００７】
これに対して、前述したような植物育成容器から植物の根を抜き出す方法で行わず、そのまま鋸やナイフなどの切断具を植物育成容器内に突き刺すことで植物の根を切断する方法も考えられるが、実際、切断具の挿入箇所を一定させることは困難で根を良好に切断することはできない。
【０００８】
本発明は、上述の問題点に鑑み、誰でも簡易に且つ良好に植物を育成することが出来る極めて商品価値の高い画期的な植物育成容器を提供するものである。
【０００９】
【課題を解決するための手段】
添付図面を参照して本発明の要旨を説明する。
【００１０】
土とともに植物１を収納して該植物１を育成する植物育成容器であって、外容体２と内容体３とから成り、前記内容体３は前記外容体２内に配設され、また、前記内容体３は植物１の根１ａが貫通する孔４ａを散在せしめた第一容体４と、この第一容体４の外側に配設され植物１の根１ａが貫通する孔５ａを散在せしめた第二容体５とから成る二重構造に設定され、この第一容体４と第二容体５との間には鋸やナイフなどの切断具６を挿入し得る間隔Ｓが形成されており、前記外容体２の底部には内方へ突出する平面視円形状にして縦断面コ字状の突出部７が形成されており、また、前記第一容体４の底部にも内方へ突出する平面視円形状にして縦断面コ字状の突出部８が形成されており、更に、前記第二容体５の底部にも内方へ突出する平面視円形状にして縦断面コ字状の突出部９が形成されており、この各突出部７，８，９に形成された連結孔７ａ，８ａ，９ａには連結部材11が嵌挿され、外容体２及び内容体３並びに第一容体４及び第二容体５は相対回動自在に構成されていることを特徴とする植物育成容器に係るものである。
【００１１】
また、請求項１記載の植物育成容器において、前記連結部材11はボルト杆11ａと蝶螺子11ｂとから成るものであることを特徴とする植物育成容器に係るものである。
【００１２】
【発明の作用及び効果】
本発明は、内容体３に収納される植物１の根１ａは、その習性から成長に伴い外方へと伸び、内容体３に係る第一容体４の孔４ａ及び第二容体５の孔５ａを通過して内容体３の外側と外容体２の内側との間まで伸びることになる。この状態で、内容体３に係る第一容体４と第二容体５との間に、例えば薄い鋸やナイフなどの平板状の切断具を抜き差ししてこれを繰り返したり、或いは、第一容体４と第二容体５との間に挿入した当該切断具を該第一容体４の外面及び第二容体５の内面に沿わせて移動させると、容器内に収納したまま植物１の根１ａを簡易且つ良好に切断（剪定）することができる。
【００１３】
よって、本発明によれば、従来から困難とされてきた作業、即ち、植物育成容器（容器内の土）内の根１ａの剪定作業が誰でも楽に行えることになり、ひいては植物１を人為的にその成長をコントロールして一つの植物育成容器内で長期間育てることが非常に簡易に行えることになるなど極めて商品価値に秀れ画期的な植物育成容器となる。
【００１４】
【発明の実施の形態】
図面は本発明の一実施例を図示したものであり、以下に説明する。
【００１５】
符号１は宿根性の植物、１ａは根、１ｂは茎、６は柄６ａの先端に刃板６ｂを備えた薄い鋸やナイフやスコップなどの切断具、12は用土としての土である。
【００１６】
本実施例は、土12とともに植物１を収納して植物１を育成する植物育成容器であって、外容体２内に内容体３が配設され、該内容体３は植物１の根１ａが貫通する孔４ａを散在せしめた第一容体４と、該第一容体４の外側に配設される植物１の根１ａが貫通する孔５ａを散在せしめた第二容体５とから成る二重構造に設定されたものである。
【００１７】
以下、本実施例に係る構成各部について詳細な説明をする。
【００１８】
外容体２は、図１，２に図示したように適宜な合成樹脂製の部材を平面視円形状の容器となるように一体成形したものである。
【００１９】
また、外容体２は、その底部（接地部）に内方へ突出する平面視円形状にして縦断面コ字状の突出部７が形成され、この突出部７の中央位置には後述する内容体３を連結する為のボルト杆11ａと蝶螺子11ｂとから成る連結部材11を貫通させる一個の連結孔７ａが形成され、該連結孔７ａの周囲には複数の水抜き孔７ｂが形成されている。符号２ａは通気孔である。尚、外容体２は合成樹脂製に限らず、金属製であったり陶製であったりしても良い。
【００２０】
内容体２に係る第一容体４は、図１，２に図示したように適宜な合成樹脂製の部材を平面視円形状の容器となるように一体成形したものである。
【００２１】
また、第一容体４は、前述した外容体２と同様、その底部（接地部）に内方へ突出する平面視円形状にして縦断面コ字状の突出部８が形成され、この突出部８の中央位置には連結部材11を貫通させる一個の連結孔８ａが形成され、該連結孔８ａの周囲には複数の水抜き孔８ｂが形成されている。
【００２２】
また、第一容体４は、その側面全周に複数の孔４ａが散在されており、この孔４ａは植物１の根１ａを通過せしめる根通過孔である。この孔４ａの径は植物１の根１ａの太さや性質などに応じて適宜設計される。
【００２３】
内容体２に係る第二容体５は、図１，２に図示したように適宜な合成樹脂製の部材を平面視円形状の容器となるように一体成形したものであり、前記第一容体４よりも若干大きく、該第一容体４を所定間隔を介して配設し得るように構成されている。
【００２４】
また、第二容体５は、前述した外容体２及び第一容体４と同様、その底部（接地部）に内方へ突出する平面視円形状にして縦断面コ字状の突出部９が形成され、この突出部９の中央位置には連結部材11を貫通させる一個の連結孔９ａが形成され、該連結孔９ａの周囲には複数の水抜き孔９ｂが形成されている。
【００２５】
また、第二容体５は、その側面全周に複数の孔５ａが散在されており、この孔５ａは植物１の根１ａを通過せしめる根通過孔である。この孔５ａの径は植物１の根１ａの太さや性質などに応じて適宜設計される。
【００２６】
尚、内容体３に係る第一容体４及び第二容体５は合成樹脂製に限らず、金属製であったり陶製であっても良く、そして、内容体３は、使用の際には、外容体２（土12）に体裁良く隠れる程度の大きさに構成するものである。
【００２７】
本実施例では、内容体３に係る第一容体４と第二容体５との間に座体10（スペーサー）が配設されている。
【００２８】
この座体10は、図１，２に図示したように適宜な合成樹脂製の部材を平面視円形状にして縦断面コ字状に一体成形したものであり、その中央位置には連結部材11を貫通させる一個の連結孔10ａが形成され、該連結孔10ａの周囲には複数の水抜き孔10ｂが形成されている。
【００２９】
従って、第二容体５内に第一容体４を配設した際には、この座体10を介することで第二容体５の内面と第一容体４の外面との間に所定の間隔Ｓが保持せしめられることになる。
【００３０】
以上の構成から、本実施例は、外容体２内に内容体３を配設して連結部材11により着脱自在に連結されており、内容体３は外容体２内で回動自在となり、且つ、第一容体４と第二容体５とは、互いに相対回動可能となるように構成されている。
【００３１】
また、本実施例は、外容体２と内容体３とから成る植物育成容器として構成されているが、内容体３だけをもって植物育成二重容器として単独で商品化し、適宜大きさの合った既存の鉢やプランターなどの（植物育成容器）内に配設して使用し得るように構成しても良い。
【００３２】
本実施例は上述のように構成したから、従来から提案される植物育成容器と同様、外容体２及び内容体３夫々に土12（用土）を収納するとともに、内容体３内に収納される土中に植物１を収納して育てる。
【００３３】
内容体３に収納される植物１の根１ａは、その習性から成長に伴い外方へと伸び、内容体３に係る第一容体４の孔４ａ及び第二容体５の孔５ａを通過して内容体３の外側と外容体２の内側との間まで伸びることになる。この状態で、内容体３に係る第一容体４と第二容体５との間隔Ｓに、例えば切断具６を抜き差ししてこれを繰り返したり、第一容体４と第二容体５との間隔Ｓに挿入した当該切断具６を該第一容体４の外面若しくは第二容体５の内面に沿わせながら円を描くようにして移動させることで、容器内に収納したまま根１ａを簡易且つ良好に切断（剪定）することができる（図１参照）。
【００３４】
また、本実施例では、第一容体４若しくは第二容体５を回動（相対回動）させるだけで該第一容体４及び第二容体５を横断（通過）する根１ａをすり合わせるようにして切断することもできる。
【００３５】
よって、本実施例によれば、従来から困難とされて来た作業、即ち、植物育成容器（容器内の土12）内の根１ａの剪定作業が誰でも楽に行えることになり、ひいては植物１の成長を簡易にコントロールすることができることになるから、植物１を一つの植物育成容器内で長期間育てることが非常に簡易に行えることになる（本出願人は、本実施例に係る植物育成容器を使用して植物１を育成することで、該植物１を極めて長期間育成し得ることを実験により確認している。）。
【００３６】
また、本実施例は、根１ａを容器内で切断する構成故に、この切断された根１ａをそのまま土12の中で肥料化させることで無駄（ゴミ）にせず、しかも、従来から根１ａの剪定作業時に行っていた用土の入れ替え作業などの負担が可及的に軽減されることになる。
【００３７】
また、本実施例は、内容体３の第一容体４と第二容体５との間隙Ｓを肥料や農薬を注入することに利用することができ、植物育成容器内をより一層植物１の育成環境として最適にせしめることができる。
【００３８】
また、本実施例は、内容体３の第一容体４と第二容体５とが夫々平面視円形状であるが故に、第一容体４と第二容体５との間隙Ｓに挿入した切断具６の切断移動が円を描くようにしてスムーズに行え、しかも、第一容体４及び第二容体５の相対回動が良好に行われ、より一層植物１の根１ａの剪定作業が良好に行われることになる。
【００３９】
また、本実施例は、外容体２の底部に形成された突出部７と、内容体３に係る第一容体４に形成された突出部８と、第二容体５に形成された突出部９と、座体10とで底部に空間が形成され、該空間により、水切り効果を発揮するのは勿論、通気性を良好にすることで植物１の育成に最適な環境が得られることになる。
【図面の簡単な説明】
【図１】  本実施例の使用状態を説明する断面図である。
【図２】  本実施例を示す分解斜視図である。
【符号の説明】
Ｓ  間隔
１  植物
１ａ  根
２  外容体
３  内容体・植物育成二重容器
４  第一容体
４ａ  孔
５  第二容体
５ａ  孔
６  切断具
７  突出部
７ａ  連結孔
８  突出部
８ａ  連結孔
９  突出部
９ａ  連結孔
11  連結部材
11ａ  ボルト杆
11ｂ  蝶螺子
【図１】
0003835727.tif 000002
【図２】
0003835727.tif 000003